(57)【要約】      （修正有）【課題】特に液体包装箱下部の剛性強度を高める液体包装箱の構造を提供する。【解決手段】液体包装箱の構造は、本体３と密封蓋４とからなる。本体３は、内層部と外層部３２を有し、外層部３２は内層部を被覆する。その内、内層部と外層部３２の下部には補強構造３２１が設けられ、密封蓋４は、本体３の上端部と相互に対応する形状であるとともに、本体３の上端部にかぶせられる。【選択図】図２
0003206266.tif 000002
【実用新案登録請求の範囲】
【請求項１】
本体と密封蓋とからなる液体包装箱の構造であって、
前記本体は、内層部と外層部を有し、前記外層部は、前記内層部を被覆し、その内、前記内層部と前記外層部の下部には補強構造が設けられ、
前記密封蓋は、前記本体の上端部と相互に対応する形状であるとともに、前記本体の上端部にかぶせられることを特徴とする、液体包装箱の構造。
【請求項２】
前記内層部の外径は、前記外層部の内径より小さく、それにより、前記内層部は前記外層部内に配置されることを特徴とする、請求項１に記載の液体包装箱の構造。
【請求項３】
前記補強構造は、間隔をあけられた凹凸状のリブ体からなることを特徴とする、請求項１に記載の液体包装箱の構造。
【請求項４】
前記内層部と外層部の上端部には開口が設けられることを特徴とする、請求項１または請求項２に記載の液体包装箱の構造。
【請求項５】
前記開口の一側には凸舌状部が設けられることを特徴とする、請求項４に記載の液体包装箱の構造。
【請求項６】
前記密封蓋の一端には舌状片が設けられ、前記本体は開口をそなえ、前記開口には凸舌状部が設けられ、前記舌状片は、前記本体の開口の凸舌状部にかぶせられることを特徴とする、請求項１に記載の液体包装箱の構造。
【請求項７】
前記舌状片は、前記本体の凸舌状部とは分離していることを特徴とする、請求項６に記載の液体包装箱の構造。
【考案の詳細な説明】
【技術分野】
【０００１】
本考案は液体包装箱の構造に関し、特に液体包装箱下部の剛性強度を高める液体包装箱の構造に関する。
【背景技術】
【０００２】
液体食品は、現代の食品工業にとって非常に重要なマーケットとなっている。従って、この液体食品の包装は、食品加工業者にとって極めて重要な課題である。
【０００３】
本考案者が考案した台湾実用新案第Ｗ９１２１５６２８号「液体包装箱の構造改良」は、図１に示すように、液体包装箱１によって食品加工業者に液体食品包裝の利便性を提供した。しかしながら、本考案者は、これに満足せず、よりよいものを目指して液体食品の包装構造の改善を重ね、より利便性を高めた液体食品包裝構造を考案することに成功した。
【先行技術文献】
【特許文献】
【０００４】
【特許文献１】台湾実用新案第Ｗ９１２１５６２８号明細書
【考案の概要】
【考案が解決しようとする課題】
【０００５】
本考案は、液体包装箱の使用効果を高めた液体包装箱の構造を提供することを目的とする。
【課題を解決するための手段】
【０００６】
本考案による液体包装箱の構造は、本体と密封蓋とからなる。前記本体は、内層部と外層部を有し、前記外層部は内層部を被覆する。その内、前記内層部と外層部の下部には補強構造が設けられ、前記密封蓋は、本体の上端部と相互に対応する形状であるとともに、本体の上端部にかぶせられる。
【考案の効果】
【０００７】
本考案が上述の技術手段によって達成できる効果は以下の通りである。前記本体の下部に補強構造が設けられることにより、前記本体の下部は、高い剛性強度をそなえることができ、さらには、前記本体の下部が圧迫されたときの変形量を減らすことができ、前記本体の下部が圧迫された後に、すばやくもとに戻すことができる。それにより、前記液体包装箱の使用効果を高めることができる。
【図面の簡単な説明】
【０００８】
【図１】台湾実用新案第Ｗ９１２１５６２８号の概略図である。
【図２】本考案の液体包装箱の分解斜視図である。
【図３】本考案の液体包装箱の斜視図である。
【図４】本考案の液体包装箱の側面図である。
【図５】本考案の液体包装箱の断面図である。
【考案を実施するための形態】
【０００９】
図２、図３、図５に示すように、本考案の液体包装箱２は、本体３と密封蓋４とからなる。
【００１０】
前記本体３は、内層部３１と外層部３２を有し、前記外層部３２は、内層部３１を被覆する。さらに具体的に言うと、前記内層部３１と外層部３２は、相互に対応する形状であり、前記内層部３１の外径は、前記外層部３２の内径より小さい。それにより、前記内層部３１は、前記外層部３２内に配置される。その内、前記内層部３１と外層部３２の下部３ａには、補強構造３１１、３２１が設けられ、前記補強構造３１１、３１２は、間隔をあけられた凹凸状のリブ体からなる。それにより、前記本体３の下部３ａは、高い剛性強度を有することができるとともに、前記本体３の下部３ａが圧迫されたときの変形量を減らすことができ、さらに、前記本体３の下部３ａが圧迫された後にすぐ元の状態に戻すことができる。前記内層部３１と外層部３２の上端部３ｂには、開口３１２、３２２が設けられ、前記開口３１２、３２２は、液体食品Ａを入れたり出したりすることができる。前記開口３１２、３２２の一側には、凸舌状部３１３、３２３が設けられる。
【００１１】
前記密封蓋４は、本体３の上端部３ｂと相互に対応する形状であるとともに、本体３の上端部３ｂにかぶせられ、前記本体３上端部３ｂの開口３１２、３２２を密封する。前記密封蓋４の一端には、舌状片４１が設けられ、前記舌状片４１は、前記開口３１２、３２２の凸舌状部３１３、３２３にかぶせられる。
【００１２】
次に、図３、図４、図５を参照する。本考案の液体包装箱２を実施するときは、図５に示すように、前記液体食品Ａを、本体３上端部３ｂの開口３１２、３２２から本体３内に入れ、さらに、前記密封蓋４で、前記本体３上端部３ｂの開口３１２、３２２を密封する。前記密封蓋４は、ヒートシールか高周波によって、本体３の上端部３ｂ上に接着する。それにより、本体３上端部３ｂの開口３１２、３２２を密封することができる。前記密封蓋４で開口３１２、３２２を密封すると同時に、前記密封蓋４の舌状片４１は、前記開口３１２、３２２の凸舌状部３１３、３２３にかぶせられる。前記密封蓋４の舌状片４１と開口３１２、３２２の凸舌状部３１３、３２３は分離しており、前記密封蓋４の舌状片４１は、開口３１２、３２２の凸舌状部３１３、３２３には接着されていない。それにより、使用者が、前記密封蓋４の舌状片４１によって、前記密封蓋４を本体３からめくることができ、さらに、本体３上端部３ｂの開口３１２、３２２を開放させることができる。それにより、使用者は、本体３内に入れた液体食品Ａを取り出して飲むことができる。
【００１３】
本考案の効果は以下の通りである。前記本体３の下部３ａに補強構造３１１、３２１が設けられており、前記補強構造３１１、３１２は、間隔をあけられた凹凸状のリブ体からなるため、前記本体３の下部３ａが高い剛性強度をもつことができ、さらには、前記本体３の下部３ａが圧迫されたときの変形量を減らすことができ、前記本体３の下部３ａが圧迫された後にすぐ元の形状に戻すことができる。したがって、前記液体包装箱２の使用効果を高めることができる。
【符号の説明】
【００１４】
１      液体包装箱
２      液体包装箱
３      本体      
３１    内層部          
３１１  補強構造
３１２  開口          
３１３  凸舌状部
３２    外層部          
３２１  補強構造
３２２  開口          
３２３  凸舌状部
３ａ    下部            
３ｂ    上端部
４      密封蓋      
４１    舌状片            
Ａ      液体食品
【図１】
0003206266.tif 000003
【図２】
0003206266.tif 000004
【図３】
0003206266.tif 000005
【図４】
0003206266.tif 000006
【図５】
0003206266.tif 000007